(57)【特許請求の範囲】
【請求項１】
クレーンフックと係合連結される吊環が正面視略菱形の本体の上部頂点に回動自在に連結されるとともに、本体の他の３頂点には各々シャックルが回転自在に連結され、各シャックルには本体の幅方向の一方から他方に順次に長さが長くなる玉掛けワイヤロープが架け渡され、各シャックルに玉掛けワイヤロープを介して等質量の被吊上物を吊したときには本体のバランスが維持され、最長の玉掛けワイヤロープを介して吊られた被吊上物から順次取り外したときには残りの被吊上物の重心に向けて本体が吊環連結地点を中心として回転するように構成されてなることを特徴とする回転式連層吊治具。
【請求項２】
シャックルに代えて、上記複数地点の各々において本体を貫通するボルトの両端に一対の全方向リングを連結し、該全方向リングはボルト軸を中心にして回動自在であるとともにボルト軸と直交する軸を中心にして揺動自在であることを特徴とする請求項１記載の回転式連層吊治具。
【請求項３】
本体に空間部が設けられ、この空間部の補強および運搬用の取手として本体両側に少なくとも各一対のパイプリブが設けられ、これら一対のパイプリブは少なくとも一の水平パイプで連結されていることを特徴とする請求項１または２記載の回転式連層吊治具。
【請求項４】
請求項１ないし３のいずれか記載の回転式連層吊治具を一対用いてこれらを任意長さの構造物で連結したことを特徴とする吊冶具。
【発明の詳細な説明】
【０００１】
【発明の属する技術分野】
本発明は鉄骨梁等を吊り上げるための吊治具に関し、特に、一回のクレーン操作で複数の鉄骨梁を連層状態で吊り上げるに適した回転式連層吊治具に関する。
【０００２】
【従来の技術】
建築現場における鉄骨梁等の吊り作業は、鉄骨梁等を１ピース単位で吊り上げて現場に搬送し、取付作業を行う工法が一般的である。すなわち、一回のクレーン操作で１ピースの鉄骨梁を吊り上げる。
【０００３】
【発明が解決しようとする課題】
しかしながら、高層ビル等の建築現場でこのような工法を採用すると、作業効率が悪く、工期が長くなり、工費も高騰する。一回のクレーン操作で複数の鉄骨梁を連層状態で吊り上げることも可能であるが、従来の吊治具では複数の鉄骨梁が上下に並んだ状態で吊り上げられることになるため、下段の鉄骨梁を外す作業をしているときに、作業者の頭上に上段の鉄骨梁が存在しており、非常に危険である。また、このような従来技術によると、玉掛けワイヤロープと鉄骨梁とが干渉することがあり、この意味からも作業の安全性を確保することができない。
【０００４】
【課題を解決するための手段】
そこで本発明は、上記問題を解決し、一回のクレーン操作で複数の鉄骨梁を連層状態で吊り上げるに際して該複数の鉄骨梁が上下に並ばずにずれた位置で吊り上げられ、したがって下段の鉄骨梁の取り外し作業時に作業者の真上に上段の鉄骨梁が存在する危険な状態をなくし、しかも、玉掛けワイヤロープと鉄骨梁との干渉をなくして作業の安全性を確保することのできる新規な構成の回転式連層吊治具を提供することを目的とする。
【０００５】
この目的を達成するため、請求項１にかかる本発明は、クレーンフックと係合連結される吊環が正面視略菱形の本体の上部頂点に回動自在に連結されるとともに、本体の他の３頂点には各々シャックルが回転自在に連結され、各シャックルには本体の幅方向の一方から他方に順次に長さが長くなる玉掛けワイヤロープが架け渡され、各シャックルに玉掛けワイヤロープを介して等質量の被吊上物を吊したときには本体のバランスが維持され、最長の玉掛けワイヤロープを介して吊られた被吊上物から順次取り外したときには残りの被吊上物の重心に向けて本体が吊環連結地点を中心として回転するように構成されてなることを特徴とする回転式連層吊治具である。
【０００６】
請求項２にかかる本発明は、請求項１記載の回転式連層吊治具において、シャックルに代えて、上記複数地点の各々において本体を貫通するボルトの両端に一対の全方向リングを連結し、該全方向リングはボルト軸を中心にして回動自在であるとともにボルト軸と直交する軸を中心にして揺動自在であることを特徴としている。
【０００７】
請求項３にかかる本発明は、請求項１または２記載の回転式連層吊治具において、本体に空間部が設けられ、この空間部の補強および運搬用の取手として本体両側に少なくとも各一対のパイプリブが設けられ、これら一対のパイプリブは少なくとも一の水平パイプで連結されていることを特徴としている。
【０００８】
請求項４にかかる本発明は、請求項１ないし３のいずれか記載の回転式連層吊治具を一対用いてこれらを任意長さの構造物で連結したことを特徴としている。
【０００９】
【発明の実施の形態】
図１および図２は本発明の一実施形態による回転式連層吊治具１０を示し、略菱形に成形された本体１１の上部頂点に吊環１２が回転自在に連結されるとともに、他の３頂点にはシャックル１３ａ〜１３ｃが回転自在に連結されている。
【００１０】
吊環１２はクレーンフックと係合連結される。各シャックル１３ａ〜１３ｃには玉掛けワイヤロープ１４ａ〜１４ｃ（図８）が架け渡されて鉄骨梁等の被吊上物（以下「鉄骨梁」と言う）の吊り上げを可能にしている。
【００１１】
本体１１の中央部には軽量化のために左右一対の空間部１５，１５が形成されており、これら空間部形成による強度低下を補うため、本体１１の両側に各々左右一対のパイプリブ１６，１６が設けられている。
【００１２】
この実施形態では本体１１の両側のパイプリブ１６，１６が各々半円弧形状を有しており、これらが一体となって輪状のパイプリブを形成している（図２）。左右一対のパイプリブ１６，１６は水平パイプ１７，１７によって連結され、さらに補強されている。また、パイプリブ１６，１６はこの回転式連層吊治具１０の運搬時に使用される取手としての機能を兼用している。
【００１３】
各シャックル１３ａ〜１３ｃは、図１において代表的にシャックル１３ｂについて示されているように、矢印両方向に回転自在である。
【００１４】
図３および図４は本発明の他の実施形態による回転式連層吊治具１０’を示し、図１および図２に示す実施形態と相違する点は、シャックル１３ａ〜１３ｃに代えて全方向リング１８（１８ａ，１８ａ〜１８ｃ，１８ｃ）を用いた点にある。すなわち、菱形本体１０の上部頂点以外の３頂点にボルト１９（１９ａ〜１９ｃ）を貫通し、各ボルトの両端（本体１０の両側）に各々全方向リング１８ａ，１８ａ〜１８ｃ，１８ｃを止着している。
【００１５】
図５には全方向リング１８が拡大して示されており、図３において代表的に全方向リング１８ｃについて、また図５（ｂ）においてそれぞれ矢印で示されているように、ボルト１９の軸を中心として両方向に回転自在であるとともに、図４において代表的に全方向リング１８ａ（１８ｃ）について、また図５（ａ）においてそれぞれ矢印で示されているように、ボルト軸と直交する軸２１を中心として両方向に揺動自在である。
【００１６】
この実施形態によると、シャックルに代えて採用した全方向リング１８が全方向にスムーズに回転可能であり、また、特に図４および図５（ａ）に示すような方向に揺動自在である全方向リング１８が本体１１の両面側に取り付けられているため玉掛けワイヤロープ１４ａ〜１４ｃ（図８）を本体１１の両面側で異なる方向に取り付けることができることから、多様な吊り上げ状態に適応することができる利点を有する。
【００１７】
図６および図７は本発明のさらに別の実施形態による回転式連層吊治具２０を示し、一対の回転式連層吊治具を任意長さの構造物で連結したものである。この実施形態では構造物として断面方形状の長尺パイプ２２を用い、その両端に各々略菱形の本体２３，２３を固着し、各本体２３の上部頂点に吊環２４を回転自在に連結するとともに、他の３頂点にはシャックル２５ａ〜２５ｃを回転自在に連結している。図３および図４の実施形態で説明したように、シャックルに代えて全方向リングを用いてもよい。符号２６および２７は長尺パイプ２２と本体２３，２３との固着強度を高めるための水平補強リブおよび垂直補強リブである。
【００１８】
図６および図７に示す実施形態では、一対の回転式連層吊治具が長尺パイプ２２によって所定の間隔をあけて配置されることになるため、大型の鉄骨梁を複数同時に連層状態で吊り上げるのに適している。
【００１９】
図８は本発明の回転式連層吊治具の作用を示すものであり、この図では図１および図２に示す回転式連層吊治具１０が示されているが、他の実施形態の回転式連層吊治具を用いた場合の作用も略同様である。
【００２０】
図８（ａ）は各シャックル１３ａ〜１３ｃに玉掛けワイヤロープ１４ａ〜１４ｃを介して等質量の鉄骨梁２８ａ〜２８ｃを吊り下げた状態を示している。シャックル１３ａ，１３ｃは中央のシャックル１３ｂを中心として対称位置にあり、且つ、鉄骨梁２８ａ〜２８ｃは等質量であるから、この状態では回転式連層吊治具１０のバランスが維持されている。図より明らかなように、玉掛けワイヤロープ１４ａ〜１４ｃは順次長さが長くなっている。
【００２１】
この状態で建築現場に運搬し、最長の玉掛けワイヤロープ１４ｃに吊り下げられている鉄骨梁２８ｃを取り外すと、本体１１は吊環１２との連結地点を中心として、残り２つの鉄骨梁２８ａ，２８ｂの重心に向けて、図において反時計方向に回転して、図８（ｂ）に示す状態となる。吊環１２および各シャックル１３ａ〜１３ｃがいずれも回転自在に本体１１に連結されていることから、図８（ａ）〜図８（ｂ）への状態移動はスムーズに行われる。
【００２２】
次いで、中央の玉掛けワイヤロープ１４ｂに吊り下げられている鉄骨梁２８ｂを取り外すと、本体１１は吊環１２との連結地点を中心として、残る鉄骨梁２８ａの重心に向けて、図において反時計方向にさらに回転して、図８（ｃ）に示す状態となる。この状態から、玉掛けワイヤロープ１４ａに吊り下げられている鉄骨梁２８ａを取り外すと、すべての吊り下げ荷重から開放されるので、本体１１は吊環１２との連結地点を中心として図において時計方向に回転して、図１に示す状態に復帰する。
【００２３】
図８では各シャックル１３ａ〜１３ｃに玉掛けワイヤロープ１４ａ〜１４ｃを介して等質量の鉄骨梁２８ａ〜２８ｃを吊り下げた三段吊りの場合を示しているが、この実施形態を二段吊りに適用する場合は、中央のシャックルを使用せず、両端のシャックル１３ａ，１３ｃに玉掛けワイヤロープ１４ａ，１４ｃを介して等質量の鉄骨梁２８ａ，２８ｃを吊り下げればよい。この場合には、長い方の玉掛けワイヤロープ１４ｃに吊り下げられている鉄骨梁２８ｃを取り外すと、本体１１は吊環１２との連結地点を中心として、残る鉄骨梁２８ａの重心に向けて、図において反時計方向に回転して、図８（ｃ）に示す状態となる。
【００２４】
なお、二段吊りで使用する場合は、鉄骨梁２８ｃを取り外したときに、残る鉄骨梁２８ａが一挙に鉄骨梁２８ｃの取り外し位置に近づくので、玉掛けワイヤロープ１４ａ，１４ｃの長さの差を大きく取ることが好ましい。
【００２５】
【発明の効果】
本発明の回転式連層吊治具によれば、一回のクレーン操作で複数の鉄骨梁を連層状態で吊り上げるに際して該複数の鉄骨梁が上下に並ばずにずれた位置で吊り上げられるため、下段の鉄骨梁の取り外し作業時に作業者の真上に上段の鉄骨梁が存在する危険な状態が回避される。また、玉掛けワイヤロープと鉄骨梁との干渉をなくして作業の安全性を確保することができる。
【００２６】
【図面の簡単な説明】
【図１】本発明の一実施形態による回転式連層吊治具の正面図である。
【図２】図１の回転式連層吊治具の側面図である。
【図３】本発明の他の実施形態による回転式連層吊治具の正面図である。
【図４】図３の回転式連層吊治具の側面図である。
【図５】図３および図４に示す回転式連層吊治具に用いられる全方向リングを示す拡大図である。
【図６】一対の回転式連層吊治具を任意長さの構造物で連結した本発明の他の実施形態を示す正面図である。
【図７】図６の回転式連層吊治具の側面図である。
【図８】図１および図２に示す回転式連層吊治具を用いて３つの鉄骨梁を連層状態で吊り上げた状態図（ａ）、（ａ）の状態から最長の玉掛けワイヤロープで吊られた鉄骨梁を取り外した状態図（ｂ）、および（ｂ）の状態から中央の玉掛けワイヤロープで吊られた鉄骨梁を取り外した状態図（ｃ）である。
【００２７】
【符号の説明】
１０，１０’，２０ 回転式連層吊治具
１１ 本体
１２ 吊環
１３ａ〜１３ｃ シャックル
１４ａ〜１４ｃ 玉掛けワイヤロープ
１５ 空間部
１６ パイプリブ
１７ 水平パイプ
１８（１８ａ〜１８ｃ） 全方向リング
１９ ボルト
２１ ボルト軸と直交する軸
２２ 長尺パイプ
２３ 本体
２４ 吊環
２５ａ〜２５ｃ シャックル
２６ 水平補強リブ
２７ 垂直補強リブ
２８ａ〜２８ｃ 鉄骨梁
【図１】
0004739592.tif 000002
【図２】
0004739592.tif 000003
【図３】
0004739592.tif 000004
【図４】
0004739592.tif 000005
【図５】
0004739592.tif 000006
【図６】
0004739592.tif 000007
【図７】
0004739592.tif 000008
【図８】
0004739592.tif 000009